(57)【要約】【課題】視認性およびコストを犠牲にすることなく表示部に一時表示を行う冷温水熱源機を得ること。【解決部】制御部は、設定内容または運転状態にかかる第１の表示項目を表示部の第１の表示領域に表示するステップと、所定の事象が発生した場合（ステップＳ１、Ｙｅｓ）、前記第１の表示領域に含まれ、かつ、前記第１の表示領域よりも小さい第２の表示領域に第２の表示項目を表示するとともに、前記第１の表示領域のうちの前記第２の表示領域を除く第３の表示領域に、前記第１の表示項目を、表示位置、表示サイズ、またはその両方を変更して表示するステップ（ステップＳ３、ステップＳ５）と、を実行する。【選択図】図７
2014020682.tif 000002
【特許請求の範囲】
【請求項１】
水熱媒を加熱又は冷却する冷温水熱源機であって、
表示部と、
自冷温水熱源機の設定内容または運転状態にかかる第１の表示項目および所定の事象が発生したときに一時表示される第２の表示項目を予め記憶する記憶部と、
前記表示部を制御する制御部と、
を備え、
前記制御部は、前記所定の事象が発生する前に、前記第１の表示項目を前記表示部の第１の表示領域に表示し、前記所定の事象が発生した場合、前記第１の表示領域に含まれ、かつ、前記第１の表示領域よりも小さい第２の表示領域に前記第２の表示項目を表示するとともに、前記第１の表示領域のうちの前記第２の表示領域を除く第３の表示領域に、前記第１の表示項目を、表示位置、表示サイズ、またはその両方を変更して表示する、
ことを特徴とする冷温水熱源機。
【請求項２】
前記記憶部は、さらに、設定内容または運転状態にかかる第３の表示項目を予め記憶し、
前記制御部は、前記所定の事象が発生する前に、前記第３の表示項目を前記第１の表示領域に表示し、前記所定の事象が発生した場合であって、前記第３の表示項目の表示位置が前記第２の表示領域に属するとき、当該第２の表示領域から前記第３の表示項目を消去する、
ことを特徴とする請求項１に記載の冷温水熱源機。
【請求項３】
前記制御部は、前記第２の表示項目の表示を開始してから当該第２の表示項目を構成する文章量に応じた時間が経過したとき、当該第２の表示項目を前記第２の表示領域から消去するとともに、前記第１の表示項目を、前記第１の表示領域に、表示位置、表示サイズ、またはその両方を戻して表示する、
ことを特徴とする請求項１または請求項２に記載の冷温水熱源機。
【請求項４】
前記記憶部は、表示開始のトリガとなる事象と優先順位とが夫々設定された複数の第２の表示項目を予め記憶し、
前記制御部は、前記複数の第２の表示項目の夫々にかかる事象が重なって発生した場合、前記第２の表示領域に表示する１つの第２の表示項目を優先順位に基づいて選択する、
ことを特徴とする請求項１または請求項２に記載の冷温水熱源機。
【請求項５】
自冷温水熱源機の温度設定の入力を受け付ける操作部をさらに備え、
前記第１の表示項目は、温度設定値である、
ことを特徴とする請求項１または請求項２に記載の冷温水熱源機。
【請求項６】
前記第２の表示項目は、温度設定にかかる警告であって、
前記所定の事象は、前記操作部を介して入力された温度設定値が所定のしきい値をこえることである、
ことを特徴とする請求項５に記載の冷温水熱源機。
【請求項７】
前記表示部を背面から照らすバックライトをさらに備え、
前記所定の事象は、前記バックライトが消灯状態から点灯状態に遷移することである、
ことを特徴とする請求項１または請求項２に記載の冷温水熱源機。
【請求項８】
水熱媒を加熱又は冷却する冷温水熱源機が具備する表示部に前記冷温水熱源機の制御部が表示を行う表示方法であって、
設定内容または運転状態にかかる第１の表示項目を前記表示部の第１の表示領域に表示するステップと、
所定の事象が発生した場合、前記第１の表示領域に含まれ、かつ、前記第１の表示領域よりも小さい第２の表示領域に第２の表示項目を表示するとともに、前記第１の表示領域のうちの前記第２の表示領域を除く第３の表示領域に、前記第１の表示項目を、表示位置、表示サイズ、またはその両方を変更して表示するステップと、
を備えることを特徴とする表示方法。
【請求項９】
前記第２の表示項目の表示を開始してから当該第２の表示項目を構成する文章量に応じた時間が経過したとき、当該第２の表示項目を前記第２の表示領域から消去するとともに、前記第１の表示項目を、前記第１の表示領域に、表示位置、表示サイズ、またはその両方を戻して表示するステップをさらに備える、
ことを特徴とする請求項８に記載の表示方法。
【発明の詳細な説明】
【技術分野】
【０００１】
本発明は、表示部を備えた冷温水熱源機および前記表示部への表示方法に関する。
【背景技術】
【０００２】
冷温水熱源機は建築物の空調用途、食品の保管用途、給湯用途など様々な分野で使用され、その機能は年々高機能化し、使用者の操作は複雑化している。複雑化する使用者の操作の一助となるように、操作設定情報と運転状態に基づいて、種々の情報を表示部に表示する技術が開発されている。
【０００３】
たとえば特許文献１には、使用者がリモコンを操作した際に警告や注意を行うために、リモコンの通常表示の内容の上にオーバーラップしてポップアップ表示を行うことで注意喚起を可能にする技術が開示されている。この技術によれば、使用者はポップアップ表示によって注意が喚起され、表示を確認することで事態を把握することができる。また、使用者が他のボタンを押せば、ポップアップ表示を解除することができる。
【先行技術文献】
【特許文献】
【０００４】
【特許文献１】特開２００７―２４００９６号公報
【発明の概要】
【発明が解決しようとする課題】
【０００５】
しかしながら、上記特許文献１の技術によれば、ポップアップ表示される情報は、通常表示内容の上にオーバーラップして表示されるが、通常表示内容を構成する「給湯温度」や「ふろ温度」の表示位置や大きさは変更されずに、邪魔にならない位置にポップアップ表示される。したがって、リモコンで表示する情報量が少ない場合には問題ないが、情報量が多い場合は表示を小さくするか、画面を大きくする必要があり、視認性またはコストが犠牲になるという課題がある。また、ポップアップ表示中には、使用者は通常の操作を行うことができず、通常の操作を行いたい場合は、リモコンのボタンを操作するなどして、ポップアップ表示を消さなければならず、ポップアップ表示を確認しながらリモコンの操作を行うことができないという課題がある。
【０００６】
本発明は、上記に鑑みてなされたものであって、視認性およびコストを犠牲にすることなく一時表示を行う冷温水熱源機および表示方法を得ることを目的とする。
【課題を解決するための手段】
【０００７】
上述した課題を解決し、目的を達成するために、本発明は、水熱媒を加熱又は冷却する冷温水熱源機であって、表示部と、自冷温水熱源機の設定内容または運転状態にかかる第１の表示項目および所定の事象が発生したときに一時表示される第２の表示項目を予め記憶する記憶部と、前記表示部を制御する制御部と、を備え、前記制御部は、前記所定の事象が発生する前に、前記第１の表示項目を前記表示部の第１の表示領域に表示し、前記所定の事象が発生した場合、前記第１の表示領域に含まれ、かつ、前記第１の表示領域よりも小さい第２の表示領域に前記第２の表示項目を表示するとともに、前記第１の表示領域のうちの前記第２の表示領域を除く第３の表示領域に、前記第１の表示項目を、表示位置、表示サイズ、またはその両方を変更して表示する、ことを特徴とする。
【発明の効果】
【０００８】
本発明によれば、制御部は第２の表示項目を表示すべき事象が発生したとき第１の表示項目の表示様態を変更して第２の表示項目を表示する領域を生成し、生成した領域に第２の表示項目を表示するので、視認性およびコストを犠牲にすることなく一時表示を行うことができるという効果を奏する。
【図面の簡単な説明】
【０００９】
【図１】図１は、本発明の実施の形態の冷温水熱源機の構成を示す図である。
【図２】図２は、操作部の構成例を示す図である。
【図３】図３は、通常表示項目の例を説明する図である。
【図４】図４は、通常表示項目の例を説明する図である。
【図５】図５は、通常表示項目の例を説明する図である。
【図６】図６は、メッセージ表示項目の例を説明する図である。
【図７】図７は、本発明の実施の形態の冷温水熱源機における表示部の表示方法を説明するフローチャートである。
【図８】図８は、メッセージ表示項目の他の例を説明する図である。
【図９】図９は、メッセージ表示項目の他の例を説明する図である。
【図１０】図１０は、メッセージ表示項目の他の例を説明する図である。
【図１１】図１１は、メッセージ表示項目の他の例を説明する図である。
【図１２】図１２は、メッセージ表示項目の他の例を説明する図である。
【図１３】図１３は、メッセージ表示項目の他の例を説明する図である。
【図１４】図１４は、メッセージ表示項目の他の例を説明する図である。
【発明を実施するための形態】
【００１０】
以下に、本発明にかかる冷温水熱源機および表示方法の実施の形態を図面に基づいて詳細に説明する。なお、この実施の形態によりこの発明が限定されるものではない。
【００１１】
実施の形態．
図１は、本発明の実施の形態の冷温水熱源機の構成を示す図である。図示するように、冷温水熱源機１は冷温水生成部２、操作部３、表示部４、制御部５、通常表示記憶部６、およびメッセージ表示記憶部７を備えている。
【００１２】
冷温水生成部２は、冷水または温水を生成する装置であって、例えば灯油やガスなどの化石燃料の燃焼によって水熱媒を加熱する装置や、冷凍サイクルを用いて水熱媒を加熱又は冷却する装置が該当する。冷温水生成部２で加熱又は冷却された水熱媒は端末放熱器（図示しない）に搬送され、放熱又は採熱し、再び冷温水生成部２に戻り、加熱又は冷却されるサイクルが繰り返される。端末放熱器には床暖房パネルやパネルラジエターやファンコイルユニットなどがある。
【００１３】
表示部４は、例えば液晶パネルで構成されており、制御部５から送られてくる画像データを表示する。また、表示部４の背面には、表示部４を背面から照らすバックライト（バックライト３９）が配設されている。
【００１４】
操作部３は、使用者による冷温水熱源機１の操作入力を受け付ける装置である。操作部３は、例えば、ハードウェアボタン、タッチパネルなどを用いたソフトウェアボタン、または両方を用いて実現される。
図２は、操作部３の構成例を示す図である。本図に示すように、操作部３は、冷温水熱源機１の運転／停止を設定する運転／停止ボタン３１、タイマー運転を設定するタイマーボタン３２、ひかえめ運転モードの開始／停止を設定するひかえめボタン３３、詳細機能を設定するためのメニューボタン３４、設定変更した内容を確定させる際に押す決定ボタン３５、上がるボタン３６、下がるボタン３７、設定変更した内容をクリアし、全画面に戻る際に押す戻るボタン３８を備える。なお、ひかえめ運転モードとは、省エネ運転のために設けられた運転モードであって、温水を供給する場合には、設定温度よりもやや低めの水温を供給し、冷水を供給する場合には、設定温度よりもやや高めの水温を供給するモードをいう。
【００１５】
使用者は、操作部３を操作することにより、冷温水熱源機１の運転／停止、タイマー運転の開始／停止、ひかえめ運転モードの開始／停止、設定室温の調節、設定水温の調節などが可能である。操作入力の内容は制御部５に送られ、制御部５は、操作入力の内容を必要に応じて表示部４に表示せしめる。
【００１６】
制御部５は、操作部３を介して入力された操作入力に基づいて、冷温水生成部２の制御や表示部４への表示指示を行うとともに冷温水熱源機１の運転を制御する。また、冷温水熱源機１の運転状態に応じて、表示部４に警告や注意喚起、運転状態の表示を行う。制御部５は、例えば、記憶装置、演算装置を備えるコンピュータにより実現される。具体的には、記憶装置に予め格納されるプログラムを演算装置が実行することによって、制御部５としての動作が実現される。
【００１７】
ここで、本実施の形態の冷温水熱源機１によれば、表示部４に表示される項目として、大きく、設定内容または運転状態にかかる通常表示項目（第１の表示項目、第３の表示項目）と、所定の事象が発生したタイミングで一時表示されるメッセージ表示項目（第２の表示項目）とが存在する。
【００１８】
通常表示項目は、メッセージ表示項目を表示すべき事象が発生する前には、表示部４が備える第１の表示領域（例えば表示画面の全領域）に表示される。メッセージ表示項目は、対応する事象が発生したときに、第１の表示領域よりも小さい第２の表示領域に一時表示される。その際、通常表示項目のうちの第１の表示項目は、第１の表示領域から第２の表示領域を除く第３の表示領域に、表示位置、表示サイズ、またはその両方が変更されて表示される。また、メッセージ表示項目を表示すべき事象が発生する前に第２の表示領域に表示されていた通常表示項目のうちの第３の表示項目は、メッセージ表示項目を表示すべき事象が発生した際に第２の表示領域から消去される。
【００１９】
通常表示項目を構成する個々の表示項目が第１の表示項目に属するか第３の表示項目に属するかは、例えば、使用者が操作を行う際に必要となるか否かに基づいて予め設定されている。使用者が操作を行う際に必要となる表示項目は、第１の表示項目に設定され、その他の表示項目は、第３の表示項目に設定される。
【００２０】
図３〜図５は、通常表示項目の例を説明する図である。運転時には、図３に示すように、表示部４の中央に設定温度表示４０が、表示部４の右上に時刻表示４１がそれぞれレイアウトされる。また、停止時には、図４に示すように、表示部４には時間表示４１のみが表示されている。この状態で、運転／停止ボタン３１が押下されることによって、運転が開始され、設定温度表示４０が表示される。タイマー運転時には、図５に示すように、図３にて説明した表示項目に加えて、表示部４の左上にタイマー運転タイトル表示４２が、中央の設定温度表示４０の周りをタイマー運転設定表示４３が、表示部４の左端にシステム状態表示４４が夫々レイアウトされる。
【００２１】
なお、タイマー運転タイトル表示４２は、タイマーボタン３２が操作されて制御部５がタイマー運転を開始した時に表示され、その時、タイマーの運転プログラム内容がタイマー運転設定表示４３に表示される。タイマーは複数設定することが可能であり、タイマー運転タイトル表示４２にそれぞれ「タイマー１」、「タイマー２」とタイトル別に表示が可能であり、それぞれに対して独立した運転プログラムを設定することができ、そのプログラム内容はタイマー運転タイトル表示４２の内容に合わせて、タイマー運転設定表示４３が表示される。
【００２２】
設定温度表示４０は、設定室温表示や設定水温表示として利用することが可能である。
【００２３】
システム状態表示４４は、冷温水熱源機１の運転状況に応じて、常に使用者に注意を促す必要のある項目について、必要最小限の文言で表示部４の他の表示と重ならない位置にレイアウトされる。図５でのシステム状態表示４４の表示位置は表示部４の左端であるが、システム状態表示４４の表示位置は表示部４の右端でもよいし、左端と右端の両方であってもよい。
【００２４】
システム状態表示４４は、使用者にシステムの状態の通知が必要な場合に、制御部５から指示して表示部４に表示される。図５においては、システム状態表示４４として「水切れ注意」が表示されているが、これは、冷温水熱源機の循環水水位が適正レベル以下となった場合に表示される。なお、「水切れ注意」の表示は一例であり、他の内容が表示されるようにしてもよい。また、システム状態表示４４は、タイマー運転時のみではなく、運転状態や、停止状態でも同様の位置に表示されるようにしてもよい。
【００２５】
図３〜図５に示した、設定温度表示４０、時刻表示４１、タイマー運転タイトル表示４２、タイマー運転設定表示４３、およびシステム状態表示４４は、通常表示項目として、通常表示項目毎の表示位置と対応付けられて、通常表示記憶部６に予め記憶されている。制御部５は、通常表示記憶部６から通常表示項目および表示位置を読み出して、読み出した情報に基づいて画像データを生成し、生成した画像データを表示部４に送って表示指示する。設定温度表示４０は、第１の表示項目に設定されており、時刻表示４１、タイマー運転タイトル表示４２、タイマー運転設定表示４３、およびシステム状態表示４４は、第３の表示項目に設定されている。
【００２６】
図６は、メッセージ表示項目の例を説明する図である。図６に示すように、メッセージ表示項目は、表示部４の上側（第２の表示領域）にレイアウトされたメッセージ表示４５に表示されている。そして、メッセージ表示４５が表示されているときには、メッセージ表示４５と重なる位置に表示されていた第３の表示項目に属する、時刻表示４１、タイマー運転タイトル表示４２、タイマー運転設定表示４３、およびシステム状態表示４４が消去され、第１の表示項目に属する設定温度表示４０が、第１の表示領域（ここでは表示部４の表示画面の全領域）から第２の表示領域を除く部分（第３の表示領域）に、表示位置および表示サイズが変更されて表示されている。なお、表示位置や表示サイズのうちのいずれか一つだけ変更するだけでシステム状態表示４４を第３の表示領域に表示可能である場合には、表示位置および表示サイズのうちのいずれか一方を変更するだけでもよい。また、図６に示すタイマー運転設定表示４３のように、タイマー運転設定表示４３の全部を消去するのではなく、メッセージ表示４５と重なる部分のみが消去されるようにしてもよい。
【００２７】
このように、制御部５は、第１の表示項目としての設定温度表示４０、４０ａによる表示を犠牲にすることなく第２の表示項目を表示することができる。使用者は、メッセージ表示４５が表示されているときでも設定温度表示４０ａが表示されるので、使用者の使用頻度の高い上がるボタン３５や下がるボタン３６を操作して設定温度を変更するような操作を行うことが可能になる。また、時刻表示４１、タイマー運転タイトル表示４２、タイマー運転設定表示４３、システム状態表示４４などの、使用者の操作入力の際に特に必要とならない表示項目を消すことで、メッセージ表示４５の表示範囲を大きく確保することができ、使用者に対して、表示内容をより見やすくすることができる。
【００２８】
メッセージ表示項目、表示位置、および表示時間は、メッセージ表示記憶部７に予め記憶されている。制御部５は、メッセージ表示項目の表示タイミングに至ったとき、メッセージ表示記憶部７からメッセージ表示項目、表示位置、および表示時間を読み出して、読み出したメッセージ表示項目を読み出した表示位置にレイアウトした画像データを作成して表示部４に送り、表示出力させる。メッセージ表示項目の表示タイミングを決定する事象は、予め定められている。例えば図６に示したメッセージ表示項目「タイマー運転を開始します」は、タイマー運転を開始する操作が入力されるという事象が発生したタイミングで表示される。なお、メッセージ表示項目は、複数存在していてもよい。また、メッセージ表示項目の表示位置はメッセージ表示項目毎に異なっていてもよい。メッセージ表示項目が複数存在する場合には、個々の表示タイミングを決める事象は表示項目毎に予め定められている。メッセージ表示４５に表示される項目のバリエーションについては後述する。
【００２９】
また、制御部５は、メッセージ表示項目の表示出力を、メッセージ表示記憶部７から読み出した表示時間が経過するまで継続し、当該表示時間が経過すると、メッセージ表示４５を消して、当該メッセージ表示項目を表示する前の表示を表示部４に表示せしめる。即ち、制御部５は、表示位置、表示サイズ、またはその両方が変更されて第３の表示領域に表示されていた第１の表示項目を、表示位置、表示サイズ、またはその両方を元に戻して第１の表示領域に表示する。また、消去されていた第３の表示項目を第１の表示領域に復活表示させる。メッセージ表示項目の表示時間はどのように設定されてもよいが、ここでは、メッセージ表示項目の文章の長さに応じた値が設定されているものとする。例えば、４文字あたり１秒の長さの時間が設定される。これにより、長い文章ほど長い時間だけ表示されるので、使用者の視認性を向上せしめることができる。また、ここでは表示時間は予め設定されてメッセージ表示記憶部７に格納されているとして説明しているが、制御部５がメッセージ表示内容を読み出す都度、その文章の長さに応じて表示時間を算出するようにしてもよい。
【００３０】
なお、表示部４は、操作部３から入力があった場合に、バックライト３９を点灯する。表示部４は、バックライト３９の状態を一定時間（例えば３０秒）だけ点灯状態とし、再び操作部３からの入力がなければ点灯状態から消灯状態に切り替える。なお、ここで述べたバックライト３９の操作は、表示部４ではなく制御部５が行うようにしてもよい。また、メッセージ表示項目の表示を行う際の点灯時間はメッセージ表示項目の表示時間と等しくてもよいし、異なっていてもよい。また、メッセージ表示項目が表示される毎に当該メッセージ表示項目の表示時間に応じて動的に決定されるようにしてもよい。
【００３１】
なお、操作部３および表示部４と冷温水熱源機１とを別体とし、有線または無線で互いに接続されるように構成してもよい。
【００３２】
図７は、本発明の実施の形態の冷温水熱源機１における表示部４の表示方法を説明するフローチャートである。
【００３３】
まず、制御部５は、メッセージ表示項目を表示するタイミングに至ったか否かを判定する（ステップＳ１）。メッセージ表示項目の表示タイミングを決める事象は、前述のように、メッセージ表示項目毎に予め設定されている。メッセージ表示項目を表示するタイミングに至っていない場合には（ステップＳ１、Ｎｏ）、制御部５は、ステップＳ１の判定処理を再び実行する。
【００３４】
メッセージ表示項目の表示タイミングに至った場合には（ステップＳ１、Ｙｅｓ）、制御部５は、メッセージ表示項目の内容、表示時間、および表示位置をメッセージ表示記憶部７から読み出す（ステップＳ２）。そして、読み出した表示位置に重なる通常表示項目のうちの第３の表示項目を消去するとともに、第１の表示項目の表示様態（大きさ、表示位置、またはその両方）をメッセージ表示項目の表示位置に重ならないように変更する（ステップＳ３）。
【００３５】
ステップＳ３の処理により制御部５から新しい入力がなされると、表示部４は、バックライト３９を点灯する（ステップＳ４）。制御部５は、メッセージ表示記憶部７から読み出して得られた表示時間だけ、読み出したメッセージ表示項目にかかる表示内容を表示部４に表示する（ステップＳ５）。
【００３６】
メッセージ表示４５の表示が終わると、制御部５は、ステップＳ３の処理の以前と同様の通常表示項目を表示する（ステップＳ６）。即ち、消去された第３の表示項目を再び表示するとともに、大きさ、表示位置、またはその両方が変更された第１の表示項目を元の表示様態に戻して表示する。
【００３７】
バックライト３９を点灯してから予め定められた時間が経過すると、表示部４は、バックライト３９を消灯する（ステップＳ７）。なお、ステップＳ２で読み出された表示時間がバックライト３９の点灯時間よりも短く設定されている場合には、ステップＳ７の処理は、ステップＳ６の処理よりも先に実行される。
【００３８】
ステップＳ７の処理の後、制御部５は、ステップＳ１の判定処理を実行する。
【００３９】
なお、メッセージ表示項目の内容は様々であることを上述した。以下に、図８〜１４を参照して、メッセージ表示項目の他の例を説明する。
【００４０】
停止状態において図４に説明した表示がなされているときに運転／停止ボタン３１が押されると、図８に示すように、メッセージ表示４５に「運転を開始します」が表示される。また、使用者がひかえめボタン３３を押してひかえめ運転モードに設定すると、図９に示すように、メッセージ表示４５に「ひかえめ運転を開始します」と表示される。また、運転状態において運転／停止ボタン３１が押されると、図１０に示すように、メッセージ表示４５に「運転を停止します」が表示される。
【００４１】
また、使用者が操作部３を押して設定を変更する場合で、かつ、押したボタンが機器の設定で操作を受け付けない状態である場合、図１１に示すように、メッセージ表示４５に「そのボタンは現在使えません」と表示される。例えば、時刻表示４１が設定されていない場合には、タイマー運転を行うことは不可能であるため、タイマーボタン３２を押してもタイマー運転を行うことができない。そのような場合に、図１１に示したような表示がなされる。なお、制御部５は、メッセージ表示４５に「時刻を設定してください」と表示することで、使用者に事態を解決するための情報を提供するようにしてもよい。
【００４２】
図６、図８〜１１に示したメッセージ表示項目の例は、使用者が操作部３を操作入力を行うという事象が発生したタイミングで表示される内容である。その他のメッセージ表示項目の例として、冷温水熱源機１の状態が変化するという事象が発生したタイミングで、その変化の内容をメッセージ表示４５に表示するものがある。例えば、冷温水熱源機１の循環水水位が水切れ検知レベル以下となった場合に、図１２に示すように、メッセージ表示４５に「循環液が不足しています。補充してください」と表示される。
【００４３】
また、冷温水熱源機１の循環水水位が水切れ検知レベル以下となった場合などの、使用者にとって重要な内容については、メッセージ表示４５の表示が消された後も、システム状態表示４４に同様の内容を必要最小限の文字で表示されるようにしてもよい。このようにすることで、重要な変化が起こった旨を使用者に常に通知し続けることができる。
【００４４】
なお、メッセージ表示項目毎に予め優先順位を設定しておき、制御部５は、複数のメッセージ表示項目にかかる事象が重なって発生した場合に、それらの項目のうちのいずれを表示するかを優先順位に基づいて選択するようにしてもよい。例えば、操作部３を操作したタイミングで表示される内容の優先順位を、システムの状態について表示される内容よりも上位に設定することで、使用者は自己の操作に関して必要な情報を常に得ることができるようになる。
【００４５】
また、制御部５からシステムの状態について表示される内容で、特に製品の故障や使用者の人体に影響を与える不具合を発生させる虞のある状態に至った場合に通知するメッセージ表示項目の優先順位を使用者が操作部３を操作した場合に表示されるメッセージ表示項目より上位に設定することで、機器を安全に使用する上で必要な情報を使用者は常に得ることができるようになる。
【００４６】
また、操作部３を介して設定温度が所定のしきい値以上に設定された場合に、図１３に示すように、メッセージ表示４５に低温やけどに対する注意を促す警告が表示されるようにしてもよい。しきい値は低温やけどの発症の虞のある温度を室温、水温、またはその両方のマトリックスとして所定の記憶部に予め記憶させておき、制御部５は、当該記憶しておいた値を用いて表示タイミングの判定に使用するように構成してもよい。なお、室温および水温のマトリックスには、室温が高い場合は低めの水温が、水温が高い場合は低めの室温が、しきい値に設定されるようにしてよい。このようにすることによって、使用者は、温度設定時に低温やけどの危険性を確認することができ、より安全に機器を使用することが可能となる。
【００４７】
また、使用者が操作部３を操作したタイミングでバックライト３９が点灯状態に移行するようにしておき、バックライト３９が消灯状態から点灯状態に移行したタイミングでメッセージ表示４５を表示するようにしてもよい。例えば図１４に示すように、バックライト３９が消灯状態のときに「水切れ注意」がシステム状態表示４４に表示されている場合において、使用者が操作部３に何らかの入力を行ったとき、制御部５は、操作入力に応じた表示を表示部４に指示する。表示部４は、当該指示をうけて、バックライト３９を点灯する。制御部５は、バックライト３９の状態が消灯状態から点灯状態に移行したことを検知して、「水切れ注意」の表示を消して、より詳細な情報である「循環液が不足しています。補充してください」をメッセージ表示４５に表示するようにしてよい。これにより、使用者が実際に操作部３を操作する状態にある場合に必要なメッセージ内容を表示することが可能となる。
【００４８】
以上説明したように、本発明の実施の形態によれば、制御部５は、所定の事象が発生する前に、設定内容または運転状況にかかる第１の表示項目を表示部４の第１の表示領域に表示し、所定の事象が発生した場合、第１の表示領域に含まれ、かつ、第１の表示領域よりも小さい第２の表示領域にメッセージ表示項目（第２の表示項目）を表示するとともに、第１の表示領域のうちの第２の表示領域を除く第３の表示領域に、第１の表示項目を、表示位置、表示サイズ、またはその両方を変更して継続して表示する、ようにしたので、コンパクトな表示画面を有する表示部４であっても第１の表示項目の表示を継続しつつメッセージ表示項目を一時表示できる。これにより、視認性およびコストを犠牲にすることなくメッセージ表示項目の一時表示を行うことができる冷温水熱源機１を得ることができるようになる。また、使用者が操作部３を操作する際に必要となる項目を第１の表示項目とすることによって、メッセージ表示項目が表示中であっても、使用者は必要な情報を第１の表示項目から得ながら操作部３を操作することができるようになる。
【００４９】
また、制御部５は、メッセージ表示項目を表示すべき事象が発生する前に、第３の表示項目を第１の表示領域に表示し、前記事象が発生した場合であって、第３の表示項目の表示位置が第２の表示領域に属するとき、当該第２の表示領域から第３の表示項目を消去する、ように構成した。これにより、使用者の操作入力の際に特に必要とならない表示項目を第２の表示項目とすることで、メッセージ表示項目および第１の表示項目のサイズを大きくすることができるので、使用者に対して、表示内容をより見やすくすることができる。
【００５０】
なお、制御部５は、メッセージ表示項目の表示を開始してから当該メッセージ表示項目を構成する文章量に応じた時間が経過したとき、当該メッセージ表示項目を第２の表示領域から消去するとともに、第１の表示項目を元の表示様態に戻して第１の表示領域に表示するようにしたので、使用者がメッセージ表示項目の内容を読むための十分な時間を確保することができる。
【００５１】
また、制御部５は、複数のメッセージ表示項目の夫々にかかる事象が重なって発生した場合、第２の表示領域に表示する１つのメッセージ表示項目を優先順位に基づいて選択する、ように構成したので、使用者は、その時点において最も重要な情報をメッセージ表示４５から得ることができる。
【００５２】
また、操作部３は温度設定の入力を受け付けて、温度設定値は第１の表示項目に属するように構成したので、使用者は、メッセージ表示項目が表示されている最中であっても温度設定値を確認しながら温度設定の入力を実行することができるようになる。
【産業上の利用可能性】
【００５３】
以上のように、本発明にかかる冷温水熱源機および表示方法は、表示部を備えた冷温水熱源機および前記表示部への表示方法に適用して好適である。
【符号の説明】
【００５４】
１  冷温水熱源機、２  冷温水生成部、３  操作部、４  表示部、５  制御部、６  通常表示記憶部、７  メッセージ表示記憶部、３１  運転／停止ボタン、３２  タイマーボタン、３３  ひかえめボタン、３４  メニューボタン、３５  決定ボタン、３６  上がるボタン、３７  下がるボタン、３８  戻るボタン、３９  バックライト、４０，４０ａ  設定温度表示、４１  時刻表示、４２  タイマー運転タイトル表示、４３  タイマー運転設定表示、４４  システム状態表示、４５  メッセージ表示。
【図１】
2014020682.tif 000003
【図２】
2014020682.tif 000004
【図３】
2014020682.tif 000005
【図４】
2014020682.tif 000006
【図５】
2014020682.tif 000007
【図６】
2014020682.tif 000008
【図７】
2014020682.tif 000009
【図８】
2014020682.tif 000010
【図９】
2014020682.tif 000011
【図１０】
2014020682.tif 000012
【図１１】
2014020682.tif 000013
【図１２】
2014020682.tif 000014
【図１３】
2014020682.tif 000015
【図１４】
2014020682.tif 000016